(57)【要約】【課題】マスク本体に紐を結ばなくとも、口鼻を覆うためのマスク本体を顔面にしっかりと固定できるようにしたマスクを提供する。【解決手段】本発明に係る医療用吸入マスクは、マスク本体２の顔面に接触する周辺部３から頬側にフラップ４を延ばし、該フラップの頬接面に、皮膚に粘着させるための粘着部材５を設けたものである。この場合、フラップはマスク本体２の顔面と接触する周辺部３から頬側に延ばした一体的なものばかりでなく、あとから固着してなるものであってもよい。また、前記フラップのほか、マスク本体の周辺部の顔接面にも皮膚に粘着させるための粘着部材を設ける場合、その口から顎にかけて粘着部材を設けないようにすると、マスク本体を付けたまま顎を動かすことが可能となる。【選択図】図２
2005304574.tif 000002
【特許請求の範囲】
【請求項１】
口鼻を覆うためのマスク本体の顔面に接触する周辺部から頬側に延ばしたフラップを設け、該フラップの頬接面に皮膚に粘着させるための粘着部材を形成したことを特徴とするマスク。
【請求項２】
前記フラップが、マスク本体の周辺部にあとから固着してなるものであることを特徴とする請求項１に記載のマスク。
【請求項３】
前記フラップのほか、マスク本体の周辺部の顔接面にも皮膚に粘着させるための粘着部材を形成する場合において、口から顎に対応する下周部を除くことを特徴とする請求項１または２に記載のマスク。
【請求項４】
口鼻を覆うためのマスク本体の顔面に接触する周辺部から頬側及び顎側に延ばしたフラップを設け、該フラップの頬接面及び顎接面に、皮膚に粘着させるための粘着部材を形成したことを特徴とするマスク。
【請求項５】
前記顎側のフラップが、前記マスク本体の周辺部からジャバラ部を介して延ばされているものであることを特徴とする請求項４に記載のマスク。
【発明の詳細な説明】
【技術分野】
【０００１】
本発明は、呼吸補助のための空気や酸素の吸入や手術のための麻酔ガスの吸入などに用いるマスク、呼吸器感染症の予防などに用いるマスク、浮遊粉塵などの多い環境下で用いるマスク、食品工場や精密機械工場など清潔が要求される職場で用いるマスク、さらには外科医の手術用のマスクなどに好適なマスクに関するものである。
【背景技術】
【０００２】
従来、この種のマスクのうち、呼吸補助のための空気や酸素の吸入や手術のための麻酔ガスの吸入などに用いる医療用吸入マスクとして、口鼻を覆うためのマスク本体９１の顔面に接触する周辺部９２の端面に、皮膚に粘着させるための粘着部材９３を形成し、マスク本体９１が空気や酸素などの吸入中に顔面から外れ難いように工夫を施したものが、実願２００４−０００２３７号として開示されていた。この従来の医療用吸入マスクは、マスク本体９１の周辺部９２が顔面に粘着するため、マスク本体内と外空間とが隔離される点で有利であった。
【特許文献１】実願２００４−０００２３７号
【発明の開示】
【発明が解決しようとする課題】
【０００３】
しかしながら、上記従来型のマスクの場合には、マスク本体の顔面に接触する周辺部の端面積が、図１０の網模様で示す如く狭い。したがって、ここに粘着部材９３を形成しても充分な粘着力が確保できず、着用中にマスク本体９１が口鼻を覆う位置から外れ易いという問題があった。このため、従来型のマスクでは、図９の如く、マスク本体９１の周辺部９２の一部に突子部９４を設け、これに穴９５を明けて紐９６を結び、該紐９６の先端を頭のうしろに回して縛り付けるようにして固定する必要があった。
【０００４】
本発明は、上記の問題を解消するためのもので、その目的とするところは、マスク本体に紐を結ばなくとも、口鼻を覆うためのマスク本体を顔面にしっかりと固定できるようにしたマスクを提供する点にある。
【課題を解決するための手段】
【０００５】
上記目的を達成するため、本願マスクは、口鼻を覆うためのマスク本体の顔面に接触する周辺部から頬側に延ばしたフラップを設け、該フラップの頬接面に皮膚に粘着させるための粘着部材を形成したものである。この場合、フラップは、マスク本体の顔面と接触する周辺部から頬側に延ばした一体的なものばかりでなく、あとから固着してなるものであってもよい。また、前記フラップのほか、マスク本体の周辺部の端面にも皮膚に粘着させるための粘着部材を形成する場合、その口から顎にかけて粘着部材を設けないようにし、マスク本体を付けたまま顎を自由に動かすことができるようにすることもある。
【０００６】
また、本願マスクは、マスク本体の顔面に接触する周辺部から頬側及び顎側にフラップを延ばし、該フラップの頬接面及び顎接面に、皮膚に粘着させるための粘着部材を設けるように構成することもある。この場合、顎側のフラップが、前記マスク本体の周辺部からジャバラ部を介して延ばし、マスク本体を付けたまま顎を自由に動かすことができるようにすることもある。
【発明の効果】
【０００７】
本願マスクによれば、口鼻を覆うためのマスク本体の顔面に接触する周辺部から頬側にフラップを延ばし、該フラップの頬接面に皮膚に粘着させるための粘着部材を形成したから、マスク本体は顔面に接触する面積が増大し、マスク本体を頬を含め顔面にしっかりと固定できるという優れた効果を奏する。
【０００８】
上記の場合、フラップは、マスク本体の顔面と接触する周辺部から頬側に延ばした一体的なものばかりでなく、あとから固着して一体化したものであってもよい。特に、後者の場合には既成のマスク本体を利用できる利点がある。また、前記フラップのほか、マスク本体の周辺部の端面に皮膚に粘着させるための粘着部材を形成する場合、人の口から顎にかけて粘着部材を形成しないようにすると、顎が動き易くなるためマスク本体を顔面に付けたまましゃべったり噛んだりすることが可能となるという優れた効果を奏する。
【０００９】
また、請求項４に記載のマスクによれば、マスク本体の顔面に接触する周辺部から頬側及び顎側にフラップを延ばし、該フラップの頬接面及び顎接面に皮膚に粘着させるための粘着部材を形成したから、マスク本体は頬と顎にしっかりと粘着させることができるという優れた効果を奏する。この場合、顎側のフラップが、前記マスク本体の周辺部からジャバラ部を介して延ばされているときは、伸縮可能なジャバラ部の作用により顎が動き易くなるためマスク本体を顔面に付けたまましゃべったり噛んだりすることが可能となるという優れた効果を奏する。
【発明を実施するための最良の形態】
【００１０】
次に、本発明の実施の態様を添付図面に基づいて説明する。図１は本願マスクの外観斜視図、図２は本願マスクの背面図、図３はフラップをエイヒレ形態にした場合の本願マスクの背面図、図４はフラップをトンボの羽根形態にした場合の本願マスクの背面図、図５はマスク本体とあとから固着する左右別体のフラップとを示す背面図、図６はマスク本体にあとから固着する左右連繋したフラップを示す背面図、図７は頬と顎の両フラップとを備えた本願マスクの背面図、図８は本願マスクの着用状態を示す斜視図である。
【００１１】
本願マスク１は、図１に示す如く、人の口鼻を覆うためのマスク本体２と、該マスク本体２の顔面に接触する周辺部３から頬側に延長してフラップ４を設け、該フラップ４の頬接面に皮膚に粘着させるための粘着部材５を形成してなる。マスク本体２は、顔面の形状になじみ易くするために柔軟な素材、たとえば、シリコンゴムや軟質プラスチック材料等により形成されることが好ましい。勿論、本願マスク１の用途によっては他の素材、たとえば、不織布により形成されることもある。
【００１２】
前記マスク本体２は、口や鼻を圧迫させないための内部空間６を有している。該内部空間６には、空気や酸素または麻酔ガスなどの供給源（図示せず）に連通させるための導管７を備えるとともに、適所に排気孔８を備えている。勿論、本願マスク１の用途によっては導管７を備えないもの、また、不織布の如く通気性があるもので作った場合は排気孔８も不要になることもある。
【００１３】
前記フラップ４は、図２の如く、アゲハ蝶の羽根が展開されたような形態Ａに形成し、頬全体に貼れるように構成することが好ましい。この羽根形態の場合、適所に真円から不定形の中穴４ａを設け、頬骨部の膨らみを避けて頬面に貼れるようにしておくとより好ましい。勿論、前記フラップ４は、前記アゲハ蝶の羽根形態Ａのみに限らず、たとえば、図３の如く、エイヒレのような形態Ｂに形成し、顔面の鼻脇から頬骨までの間に貼れるようにしたり、図４の如く、トンボの羽根形態Ｃに形成し、顔面の鼻脇から頬骨の膨らみを避けるように分岐させつつ貼れるようにしても満足できる。なお、図１〜図４における点模様は、粘着部材５の形成部位を示している。
【００１４】
前記粘着部材５は、フラップ４の頬接面に形成するほか、マスク本体２の周辺部３の端面にも設けられることもある。この場合、端面の全域に粘着部材５を形成してもよいが、人の口から顎にかけて粘着部材５を設けない個所（図２から図４において符号Ｓで示す白抜き部）を作るようにすることもある。後者のようにすると、マスク本体２を顔面に付けたまま顎を自由に動かすことができて便利である。
【００１５】
前記フラップ４は、マスク本体２の顔面に接触する周辺部から頬側に延ばした一体的なものばかりでなく、図５、図６の如く、マスク本体２の周辺部３の端面にあとからフラップ４を固着したものでもよい。たとえば、図５の如く、左右別体のフラップ４、４の基部９を、マスク本体２の周辺部３の端面にあとから接着剤１０を介して固着しても、図６の如く、基部９にて繋がれた左右のフラップ４、４の基部９を、マスク本体２の周辺部３の端面にあとから接着剤１０を介して固着してもよい。なお、接着剤１０を塗布した部分は粘着部材５を設けた面と反対側になるが、便宜上、接着剤１０の塗布範囲の外形を破線、接着剤１０を粗い縦横格子模様で示している。
【００１６】
前記本願マスク１は、図７の如く、マスク本体２の顔面に接触する周辺部３から頬側及び顎側にフラップ４、４を延ばし、該フラップ４、４の頬接面及び顎接面に、皮膚に粘着させるための粘着部材５を設け、マスク本体２を顔面により確実に固定できるようにすることも可能である。この場合、顎側のフラップ４を、前記マスク本体２にジャバラ部１１を介して図示の如く延ばしておくと、ジャバラ部１１の伸縮作用により顎が動き易くなるため、マスク本体を顔面に付けたまましゃべったり噛んだりすることが可能となる利点がある。
【００１７】
前記フラップ４に付着させた粘着部材５は、顔面の皮膚に対してやさしい（皮膚への影響の少ない）粘着剤、たとえば、シリコン系粘着剤、アクリル系粘着剤その他を用いるとよい。該粘着剤は、図示の例では、フラップ４の頬接面等に全面的に塗布しているが、部分的に塗布してもよいことは勿論である。
【００１８】
前記粘着部材５の塗布面は、平時は剥離紙１２にて覆い、粘着性を規制し、使用に際して剥離紙を剥がして粘着部材５の形成面を露出させるようにする。該粘着部材５は剥離紙を附属させた両面粘着テープを利用して設けることもある。
【００１９】
次に、本願マスクの作用について説明する。まず、マスク本体２を顔面の口鼻を覆うように当てる。次いで、マスク本体２の周辺部３から頬側に延ばされているフラップ４から剥離紙１２を剥がして頬に貼る。この粘着に際し、フラップ４がアゲハ蝶の羽根形態Ａのものであるならば、その羽根形態Ａ部に設けた中穴４ａを頬骨部の膨らみに合致させるようにして顔面の凹凸によくフィットさせる。
【００２０】
顔面へのフィット性は、エイヒレ形態Ｂでも、トンボの羽根形態Ｃでも遜色がないことは勿論である。また、顔面へのフィット性は、マスク本体２の周辺部３にあとから固着により形成した左右別体のフラップ４、４であっても、基部９を介して繋がれた左右のフラップ４、４であっても満足できる。
【００２１】
上述の如く、フラップ４を頬に貼ってマスク本体２を顔面にしっかりと固定したときは就寝中の寝返りなどによりあるいは歩行や作業中にマスク本体２が口鼻を覆う位置から外れることがない。したがって、従来型マスクのように紐が不要となる。特に、マスク本体が頬側及び顎側にもフラップ４を有しているときは、マスク本体２を顔面に対して、より確実にしっかりと固定できるものとなる。
【産業上の利用可能性】
【００２２】
本願マスク１は、呼吸補助のための空気や酸素の吸入用として、また、手術のときの麻酔ガスの吸入用として、呼吸器感染症の予防用として、浮遊粉塵などの多い環境下での着用として、食品工場や精密機械工場など清潔が要求される職場での着用として、さらには外科医の手術用として広く利用することが可能なものである。
【図面の簡単な説明】
【００２３】
【図１】本願マスクの外観斜視図である。
【図２】本願マスクの背面図である。
【図３】フラップをエイヒレ形態にした場合の本願マスクの背面図である。
【図４】フラップをトンボの羽根形態にした場合の本願マスクの背面図である。
【図５】マスク本体にあとから固着する左右別体のフラップを示す背面図である。
【図６】マスク本体にあとから固着する左右連繋のフラップを示す背面図である。
【図７】頬と顎の両フラップとを備えた本願マスクの背面図である。
【図８】本願マスクの着用状態を示す斜視図である。
【図９】従来型マスクの着用状態を示す斜視図である。
【図１０】従来型マスクの裏面図である。
【符号の説明】
【００２４】
１  本願マスク
２  マスク本体
３  周辺部
４  フラップ
４ａ  中穴
５  粘着部材
６  内部空間
７  導管
８  排気用孔
９  基部
１０  接着剤
１１  ジャバラ部
１２  剥離紙
Ａ  アゲハ蝶の羽根形態
Ｂ  エイヒレ形態
Ｃ  トンボの羽根形態
Ｓ  粘着部材を設けない個所
【図１】
2005304574.tif 000003
【図２】
2005304574.tif 000004
【図３】
2005304574.tif 000005
【図４】
2005304574.tif 000006
【図５】
2005304574.tif 000007
【図６】
2005304574.tif 000008
【図７】
2005304574.tif 000009
【図８】
2005304574.tif 000010
【図９】
2005304574.tif 000011
【図１０】
2005304574.tif 000012